(57)【要約】 【構成】  メーカー端末側で糸のカラー画像を作成し、システムサーバに登録する。デザイナー端末は、システムサーバの糸データベースを検索して、所望の糸の画像をダウンロードし、ニット製品のデザインデータのシミュレーション画像を糸画像を用いて作成し、バーチャルサンプルとする。【効果】  デザイナーは糸見本の現品などを入手せずに、所望の糸を検索して、ニット製品のバーチャルなサンプルを作成できる。【選択図】     図１
2008186276.tif 000002
【特許請求の範囲】
【請求項１】
システムサーバと、糸画像の送出端末と、デザイナー端末とをネットワークを介して接続したシステムからなり、
糸画像の送出端末では、糸のカラー画像を作成して、システムサーバへアップロードし、
システムサーバでは、アップロードされた糸のカラー画像を、データベースに登録すると共に、デザイナー端末へ送出し、
デザイナー端末では、システムサーバから送出された糸のカラー画像を用い、かつニット製品のデザインデータに従って、該ニット製品をシミュレートするカラー画像を作成するようにした、ニットデザインシステム。  
【請求項２】
前記糸画像の送出端末で、糸のカラー画像の他に糸の不透明度の画像を作成して、前記システムサーバへアップロードし、
前記システムサーバでは、糸のカラー画像と不透明度の画像とを、データベースに登録して前記デザイナー端末へ送出し、
前記デザイナー端末では、糸のカラー画像と不透明度の画像とを用いて、ニット製品をシミュレートするカラー画像を作成するようにしたことを特徴とする、請求項１のニットデザインシステム。
【請求項３】
背景色を変えて糸のカラー画像を複数回読み込み、読み込んだ複数の画像を用いて背景色の影響を除き、糸のカラー画像と不透明度の画像を作成する糸画像作成手段を、糸画像の送出端末に接続したことを特徴とする、請求項２のニットデザインシステム。
【請求項４】
糸画像作成手段で作成した糸のカラー画像での糸の形状を変えずにカラー値を変更した、カラーバリエーションの画像を作成するための手段を、システムサーバ、糸画像の送出端末、及びデザイナー端末の少なくともいずれかに設けたことを特徴とする、請求項１〜３のいずれかニットデザインシステム。
【請求項５】
システムサーバに、アップロードされた糸のカラー画像を用いて、編地見本をシミュレートする画像を作成するための、ループシミュレーション手段を接続し、得られた編地見本のカラーシミュレーション画像を糸のカラー画像と共に、システムサーバがデザイナー端末へ提供する検索画面に表示するようにしたことを特徴とする、請求項１〜４のいずれかのニットデザインシステム。
【請求項６】
システムサーバに、デザイナー端末から前記データベースへのアクセス統計を作成するための手段を設けて、得られたアクセス統計を糸画像の送出端末へ送付するようにしたことを特徴とする、請求項１〜５のいずれかのニットデザインシステム。
【請求項７】
システムサーバと、糸画像の送出端末と、デザイナー端末とをネットワークを介して接続して、ニット製品をシミュレートしたカラー画像を作成する方法において、
糸画像の送出端末で、糸のカラー画像を作成して、システムサーバへアップロードし、
システムサーバで、アップロードされた糸のカラー画像を、データベースに登録すると共に、デザイナー端末へ送出し、
デザイナー端末で、システムサーバから送出された糸のカラー画像を用いて、前記カラー画像を作成することを特徴とする、ニットデザイン方法。  
【発明の詳細な説明】
【技術分野】
【０００１】
この発明はニット製品のデザインに関し、特にデザインしたニット製品のシミュレーションに必要な糸画像を、ネットワークを介して入手するようにしたシステムと方法に関する。
【背景技術】
【０００２】
ニット製品のデザインデータを用いて、ニット製品の出来上がりをシミュレーションすることをループシミュレーションという。ループシミュレーションでは、デザインデータを編機での編成データに変換し、編成データを用いて、糸が編目を構成し、編目が互いに連結されてニット製品を構成するように、糸を配置してニット製品をシミュレーションする。ループシミュレーションで得られる糸の配置データを糸筋データという。そして出願人は、ループシミュレーションによりガーメントの３Ｄ画像を作成して、仮想的な人体モデルに着装させることを提案した（特許文献１：特開２００５−２４２６１１）。
【０００３】
単なるループシミュレーションでは、予め用意されている標準的な糸画像を用いてニット製品の糸を表現するので、ループシミュレーション画像をニット製品の取引用のサンプルとして用いることは非現実的である。そこで出願人は、現実の糸を用いて、そのカラー画像を背景を変えて複数回読み取り、糸のカラー画像と不透明度の画像を求めることを提案した（特許文献２：特開２００５−２５１１６２）。これによってリアルな糸画像が得られ、ループシミュレーションにより、取引用のサンプルとして用い得るレベルのニット製品の画像が得られる。
【０００４】
しかしながら糸画像の作成には、デザイナーが現実の糸を入手する必要がある。このためには取引のある糸メーカーから糸見本帳を入手することになるが、取引のないメーカーからは入手しにくい。またどのような糸が市場に存在するかについても、展示会を回らないと、デザイナーは取引のあるメーカーの糸などの一部の糸しか知ることができない。また糸メーカーにとって、現実の糸見本を貼り付けた糸見本帳を提供したり、糸の見本としてサンプルの糸を送付することは大きな負担である。
【特許文献１】特開２００５−２４２６１１
【特許文献２】特開２００５−２５１１６２
【発明の開示】
【発明が解決しようとする課題】
【０００５】
この発明の課題は、現実の糸見本無しで、ニット製品のバーチャルで高品質なサンプルを作成できるようにすることにある。
【課題を解決するための手段】
【０００６】
この発明のニットデザインシステムでは、システムサーバと、糸画像の送出端末と、デザイナー端末とをネットワークを介して接続したシステムからなり、
糸画像の送出端末では、糸のカラー画像を作成して、システムサーバへアップロードし、
システムサーバでは、アップロードされた糸のカラー画像を、データベースに登録すると共に、デザイナー端末へ送出し、
デザイナー端末では、システムサーバから送出された糸のカラー画像を用い、かつニット製品のデザインデータに従って、該ニット製品をシミュレートするカラー画像を作成する。
【０００７】
またこの発明のニットデザイン方法では、システムサーバと、糸画像の送出端末と、デザイナー端末とをネットワークを介して接続して、
糸画像の送出端末で、糸のカラー画像を作成して、システムサーバへアップロードし、
システムサーバで、アップロードされた糸のカラー画像を、データベースに登録すると共に、デザイナー端末へ送出し、
デザイナー端末で、システムサーバから送出された糸のカラー画像を用いて、該ニット製品をシミュレートするカラー画像を作成する。
【０００８】
好ましくは、前記糸画像の送出端末で、糸のカラー画像の他に糸の不透明度の画像を作成して、前記システムサーバへアップロードし、前記システムサーバでは、糸のカラー画像と不透明度の画像とを、データベースに登録して前記デザイナー端末へ送出し、前記デザイナー端末では、糸のカラー画像と不透明度の画像とを用いて、ニット製品をシミュレートするカラー画像を作成する。
好ましくは、背景色を変えて糸のカラー画像を複数回読み込み、読み込んだ複数の画像を用いて背景色の影響を除き、糸のカラー画像と不透明度の画像を作成する糸画像作成手段を、糸画像の送出端末に接続する。
特に好ましくは、糸画像作成手段で作成した糸のカラー画像での糸の形状を変えずに、カラー値を変更したカラーバリエーションの画像を作成するための手段を、システムサーバ、糸画像の送出端末、及びデザイナー端末の少なくともいずれかに設け設ける。
【０００９】
また好ましくは、システムサーバに、アップロードされた糸のカラー画像を用いて、編地見本をシミュレートする画像を作成するための、ループシミュレーション手段を接続し、得られた編地見本のカラーシミュレーション画像を糸のカラー画像と共に、システムサーバがデザイナー端末へ提供する検索画面に表示する。
好ましくは、システムサーバに、デザイナー端末から前記データベースへのアクセス統計を作成するための手段を設けて、得られたアクセス統計を糸画像の送出端末へ送付する。
【発明の効果】
【００１０】
この発明では、デザイナー端末では、システムサーバからダウンロードした糸のカラー画像を用いて、ニット製品のデザインに対するバーチャルなサンプルを作成できる。このため、デザインに対して実際のサンプルを製造する手間を省くことができる。作成したバーチャルサンプルは現品のサンプルに代えて用いることができる。糸の画像はシステムサーバのデータベースに登録されているので、デザイナーは取引の無い糸メーカーの糸にもアクセスでき、海外の糸の展示会等を訪問せずに、世界的に最新の糸に触れることができる。また糸メーカー等の側では、展示会や糸の見本帳無しで、世界各国のデザイナー等に糸をプロモーションできる。    
【００１１】
ここで糸の画像として、糸のカラー画像と糸の不透明度の画像を用いると、毛羽などの半透明の部分をも表現できる。
さらに、背景色を変えて糸のカラー画像を複数回読み込み、読み込んだ複数の画像を用いて糸のカラー画像と不透明度の画像を作成すると、背景色の影響が除かれ、毛羽などの精細な部分の形状を正確に表現した糸のカラー画像と、不透明度の画像を得ることができる。このためバーチャルなサンプルの品位を特に向上できる。
さらに糸画像作成手段で作成した糸のカラー画像での糸の形状を変えずに、カラー値を変更したカラーバリエーションの画像を作成すると、糸のカラー画像を１回作成すると、その画像を利用して多数のカラーバリエーションを作成でき、色違いのバーチャルサンプルを容易に作成できる。
【００１２】
糸のカラー画像を用いて、編地見本をシミュレートする画像を作成し、糸の画像と共にデータベースから公開すると、デザイナーは糸の風合いを理解できる。
デザイナー端末から前記データベースへのアクセス統計を作成するための手段を設けて、得られたアクセス統計を糸画像の送出端末へ送付すると、糸メーカーなどでは糸へのデザイナーなどの関心の程度を知ることができ、糸の生産計画や販売促進などに利用できる。
【発明を実施するための最良の形態】
【００１３】
以下にこの発明を実施するための最良の形態を示すが、これに限るものではない。
【実施例】
【００１４】
図１〜図６に、実施例のニットデザインシステムとニットデザイン方法を示す。なおニットデザインシステムに関する記載は、特に断らない限り、そのままニットデザイン方法に当てはまり、同様にニットデザイン方法に関する記載はニットデザインシステムにも当てはまる。各図において同じ符号は同じものを表す。以下で糸画像という場合、糸のカラー画像と糸の不透明度の画像の組み合わせを言い、糸のカラー画像と不透明度の画像は、１ファイルに記憶しても、別のファイルに記憶しても良い。なお不透明度の画像を用いず、糸のカラー画像のみを用いても良い。またスワッチ画像は編地見本のカラー画像を意味する。
【００１５】
図において、２はインターネットで、他のネットワークでもよく、４はメーカー端末、１２はシステムサーバで、３０はデザイナー端末である。メーカー端末４とデザイナー端末３０は各々多数システムサーバ１２に接続されている。５，１３，３１は認証部で、メーカー端末４とシステムサーバ１２間の通信には認証部５，１３を用いるが、デザイナー端末３０とメーカー端末４やシステムサーバ１２との通信には認証を用いなくてもよい。６，１４，３２は通信インターフェースである。
【００１６】
メーカー端末４には糸画像作成部８を設け、カラースキャナ９や測色計１０並びにカラー変換部１１を接続する。なお測色計１０やカラー変換部１１は接続しなくてもよい。カラースキャナ９では、現実の糸見本に対して背景色を変えて２回カラー画像を読み込む。読み込んだ２回のカラー画像から背景色の影響を除き、糸見本自体のカラー画像とその不透明度の画像とを求める。糸見本では一般に多数のカラーバリエーションが要求され、それぞれのカラーバリエーション毎に、糸に染色を施し、カラースキャナ９で背景色を変えて２回読み込んでもよい。あるいはカラースキャナ９で糸画像を読み込む代わりに、測色計１０で糸見本を測色し、カラーバリエーションの糸画像を作成してもよい。またカラーバリエーションの糸見本に対して、糸見本のカラー値をカラーチャートなどで指定してもよい。
【００１７】
糸画像は、糸自体のカラー画像と不透明度の画像から成っている。これに対して糸見本を測色計で測色、あるいは糸見本の色をカラーチャートなどで指定しても、不透明度の画像は得られない。そこで不透明度の画像はカラースキャナ９で糸見本を２回読み込むことにより求めたものを、例えばそのまま用いる。次に糸見本のカラー画像には、明度や彩度、色相の分布がある。測色計やカラーチャートで指定した色は、糸見本の明度，彩度及び色相の平均値を表すものとする。カラー値（明度，彩度及び色相の値）の平均値からの分布は、カラースキャナ９で読み取った糸のカラー画像での分布を用いる。即ち、カラースキャナ９で読み取った糸のカラー画像でのカラー値の分布に応じて、測色計やカラーチャートで指定した平均色の周囲にカラー値の分布を設ける。このようにしてカラー変換部１１で、測色計１０やカラーチャートで指定したカラー値に対し、明度や彩度，色相の分布と、糸の不透明度の画像を作成する。
【００１８】
メーカー端末４は、作成した糸画像をインターネット２を介してシステムサーバ１２へアップロードする。糸画像作成部８は、メーカー端末４とケーブルや通信回線などを介して接続し、あるいは適宜の記憶媒体を介して接続する。
【００１９】
システムサーバ１２ではメーカー端末４からアップロードされた糸画像を、糸データベース１６に登録する。糸データベース１６に登録するものは、糸の不透明度の画像と糸のカラー画像、並びにこの糸を試編みした編地をループシミュレーションによりシミュレーションしたスワッチ画像（カラー）と、糸の名称や、番手、梳毛，紡毛などの糸の種類、素材やメーカー名、年度並びにシーズンなどである。データベース１６には検索ソート部１７を設けて、データベース１６をデザイナー端末３０から検索し、検索結果をソートできるようにする。またデザイナー端末３０からの糸データベース１６へのアクセス統計を、アクセス統計部１８で作成する。
【００２０】
糸画像のカラーバリエーションはメーカー端末４で作成しても、システムサーバ１２側で作成してもよく、そのためカラー変換部１１をシステムサーバ１２に設ける。ネットワーク処理部２０は種々のネットワークアプリケーションプログラムを記憶し、例えばデザイナー端末３０に対し、メーカー端末４へのリンク情報を提供する。
【００２１】
ループシミュレーション部２１は、ニット製品のデザインデータを編成データに変換し、編成データに従って編成されたニット製品をシミュレーションする。また編成に用いる編機の種類は例えば横編機である。シミュレーションで得られるものは、ニット製品の３Ｄもしくは２Ｄカラー画像で、ループシミュレーション部２１では編成データに従って糸筋データを作成する。糸筋データはニット製品を構成する糸の配置を示すデータで、糸がどの位置でどのような編目を構成し、編目は互いにどのように接続されているかを示している。
【００２２】
得られた糸筋データに糸画像のカラーデータと不透明度の画像を組み合わせると、３Ｄ〜２Ｄのニット製品のカラー画像が得られる。ここで糸の不透明度の画像により、糸の毛羽などの半透明な部分を精細に表現できる。視点変換部２３は、３Ｄのループシミュレーション画像が得られる場合に設け、３Ｄのループシミュレーション画像に対して視点変換を行う。着装部２２は、ループシミュレーションで得られたニット製品のカラー画像を、仮想的な人体モデルなどに着装させる。これによって３Ｄループシミュレーション画像を仮想的な人体モデルに着装させ、種々の視点から見ることが可能になる。人体データベース２４は、種々の人体モデルを記憶したデータベースで、着装部２２でループシミュレーション画像を着装させる人体モデルを提供する。
【００２３】
図２にデザイナー端末３０を示すと、デザイナー端末３０はインターネット２を介してシステムサーバ１２へ接続され、システムサーバ１２のネットワーク処理部２０からメーカー端末４のＵＲＬを提供され、メーカー端末４のホームページなどにアクセスする。またデザイナー端末３０は、インターネット２を介して顧客端末３６に接続され、ニット製品のバーチャルサンプルなどを送出する。デザイナー端末３０にもカラー変換部１１を設けても良く、その場合、システムサーバ１２からカラーバリエーションの色と糸画像とを取得し、デザイナー端末３０でカラーバリエーションの糸画像を作成しても良い。
【００２４】
デザイナー端末３０はニットデザイン部３３を備え、ニット製品のデザインを行う。またループシミュレーション部２１や着装部２２，視点変換部２３，人体データベース２４などを備え、カラープリンタ３４により、得られたシミュレーション画像をニット製品のバーチャルなサンプルとしてプリントする。プリント画像やシミュレーションで得られた画像データを、バーチャルサンプルとして顧客端末３６へ送出する。バーチャルサンプルは、ニット製品を人体モデルが着装した状態を表すものに限らず、ハンガーに掛けられた状態や、平坦に配置した状態、その他、デザインしたニット製品をリアルに表現するものであれば良い。またバーチャルサンプルは、人体モデルが着装した状態と平坦に配置した状態など２種類以上の画像を含んでも良く、さらに正面から見た状態と背面から見た状態などのように、視点の異なる複数の画像を含んでも良い。
【００２５】
図３に、システムサーバ１２がデザイナー端末３０へ提供する糸の検索画面４０を示す。検索画面では、糸の名称や番手、糸の種類、例えば梳毛／紡毛／ストレッチ／ファンシー／モヘアなどで、データベースから糸を検索できる。素材は綿／ウール／レーヨン／シルクやこれらの混合割合を表し、素材でも糸を検索できる。さらにメーカー名や年度、秋冬物や春夏物などのシーズン、及び任意のキーワード（コメント）でも、糸を検索できる。これらに応じて糸を検索すると、該当する糸が糸名やメーカー名その他でソートされ、カラーの糸画像４１及びカラーのスワッチ画像４２，４３が表示され、スワッチ画像４２は表目、スワッチ画像４３は裏目である。
【００２６】
図４に、メーカー端末４での処理を示す。糸のカラー画像をスキャナで背景を変えて２回スキャンする。例えば背景色を黒Ｂ及び白Ｗとし、背景色黒で得られた画像をＡとし、背景色白で得られた画像をＣとする。糸のカラー画像Ｘ，不透明度の画像Ｄは、
Ａ＝Ｂ＋（Ｘ−Ｂ）Ｄ
Ｃ＝Ｗ＋（Ｘ−Ｗ）Ｄ
なので、これを解くと、
Ｘ＝{Ｗ(Ａ−Ｂ)−Ｂ(Ｃ−Ｗ)}／{(Ａ−Ｂ)−(Ｃ−Ｗ)}
Ｄ＝{(Ａ−Ｂ)−(Ｃ−Ｗ)}／(Ｗ−Ｂ)
で表される。以上のようにして背景色の影響を除き、精細な糸のカラー画像Ｘと不透明度の画像Ｄを得ることができる。他のカラーバリエーションについても、糸のカラー画像Ｘと不透明度の画像Ｄを求める。背景色は白黒以外でも良く、また背景色を３回以上変えて糸の画像を３回以上読み込んでも良い。
【００２７】
カラーバリエーションに対して、カラースキャナで２回カラー画像を読み込むのでない場合、測色計やカラーチャートなどで糸のカラー画像の平均値（色相，明度，彩度の平均値）を求めあるいは指定する。不透明度の画像Ｄはスキャナで２回読み込んで求めた画像Ｄをそのまま用いる。次に糸のカラー画像の平均値が測色計やカラーチャートで指定されたものと一致するようにし、カラースキャナで２回読み込んで求めたカラー画像Ｘでの平均値からの明度や色相，彩度のシフトが、測色計やカラーチャートで指定されたカラー値の平均値からのシフトになるようにする。このようにして、カラー値の平均値を指定することにより、カラーバリエーションに対する糸の画像を得ることができる。
【００２８】
システムサーバへ、糸画像と糸名や番手、種類、素材、メーカー名、年度、シーズン等の糸データをアップロードする。そしてデザイナー端末から問い合わせがあればそれに応答して、例えば糸の取引を行う。またシステムサーバから糸へのアクセス統計を取得し、どの糸に対する需要が高く、どの糸に対する需要が低いかを見極めて、生産計画や販売活動などに反映させる。
【００２９】
図５に、システムサーバでの処理を示す。メーカー端末から糸画像と糸データ（糸名、番手または太さ、種類、素材と混合率、メーカー名、粘度、シーズン、コメント等）を取得し、糸データベースに登録する。メーカー端末から糸画像のカラーバリエーションがあればそれも登録する。またメーカー端末からカラーバリエーションについて測色値やカラーチャートでのカラー値などが指定された場合、カラー変換部を用いて糸画像を作成し、糸データベースに登録する。糸の番手あるいは太さから編成に適した横編機のゲージが求まり、求めたゲージの値と糸画像とを用いて、ループシミュレーションによりスワッチ画像を作成する。作成したスワッチ画像は、風合いを容易に確認できるように、原寸大で表示するのに適したサイズで、糸データベースに登録する。
【００３０】
デザイナー端末からの問い合わせに応じて糸データベースを検索及び検索結果をソートして、糸画像と糸データをデザイナー端末へ送出する。またデザイナー端末からの要求に応じて、メーカー端末へのリンク情報などを提供する。さらにデータベースでの糸毎に、デザイナー端末からのアクセス統計を取得し、アクセス統計をメーカー端末へ送出する。
【００３１】
図６に、デザイナー端末での処理を示す。システムサーバから糸画像と糸データを取得する。次にニット製品のデザインデータを編成データに変換し、編成プロセスをシミュレーションしてニット製品の糸筋データを得る。糸筋データと糸画像とを用いて、ニット製品の３Ｄあるいは２Ｄのカラーシミュレーション画像を得る。３Ｄのカラーシミュレーション画像が得られる場合、視点変換や人体モデルへの着装、デザイン変更などの処理を行い、カラーシミュレーション画像をプリントし、もしくはホームページに掲載し、あるいは顧客端末へ送信する。そして顧客からの要求に応じニット製品を生産し、メーカー端末にアクセスし、糸の発注などを行う。
【００３２】
実施例では以下の効果が得られる。
(1)  糸メーカーにとって、糸見本帳を頒布するコストや展示会のコストを不要にないし削減でき、システムサーバを介して多くのデザイナーに糸見本をバーチャルに提供できる。
(2)  デザイナーにとって、現実の糸見本を入手せずに、種々の糸情報にアクセスできる。そしてニット製品を、毛羽などを含めて糸の風合いを精細に表現するように、シミュレーションできる。このため得られたシミュレーション画像は、バーチャルなサンプルとして取引に用いることができ、ニット製品のデザインと製造の間でのサンプル編成を不要にできる。
(3)  背景色を変えて２回読み込んだ糸画像から、背景色の影響を除いた糸のカラー画像と、正確な不透明度の画像が得られる。このためバーチャルなサンプルの品位を高めることができる。
(4)  データベースからスワッチ画像が得られるので、デザイナーなどが糸の風合いを評価するのがより容易になる。
(5)  データベースから糸のカラーバリエーションの画像が得られるので、色違いのバーチャルサンプルを作成できる。
【図面の簡単な説明】
【００３３】
【図１】実施例のニットデザインシステムでの、メーカー端末とシステムサーバとを示すブロック図
【図２】実施例のニットデザインシステムでの、デザイナー端末を示すブロック図
【図３】実施例のニットデザインシステムで、システムサーバが提供する糸情報の検索画面を示す図
【図４】実施例のニットデザインシステムでの、メーカー端末での処理を示すフローチャート
【図５】実施例のニットデザインシステムでの、システムサーバ側での処理を示すフローチャート
【図６】実施例のニットデザインシステムでの、デザイナー端末での処理を示すフローチャート
【符号の説明】
【００３４】
２                インターネット
４                メーカー端末
５，１３，３１    認証部
６，１４，３２    通信インターフェース
８                糸画像作成部
９                カラースキャナ
１０              測色計
１１              カラー変換部
１２              システムサーバ
１６              糸データベース
１７              検索ソート部
１８              アクセス統計部
２０              ネットワーク処理部
２１              ループシミュレーション部
２２              着装部
２３              視点変換部
２４              人体データベース
３０              デザイナー端末
３３              ニットデザイン部
３４              カラープリンタ
３６              顧客端末
４０              検索画面
４１              糸画像
４２，４３        スワッチ画像
【図１】
2008186276.tif 000003
【図２】
2008186276.tif 000004
【図４】
2008186276.tif 000005
【図５】
2008186276.tif 000006
【図６】
2008186276.tif 000007
【図３】
2008186276.tif 000008